(57)【特許請求の範囲】
【請求項１】
電源から供給される電気エネルギーを開・閉する電源スイッチと前記電源スイッチの操作方向に対して前記電源スイッチを囲うように配置された壁と前記壁を覆うように構成され、スイッチ操作力が調整可能な電源スイッチカバーと前記電源スイッチを介し電源から供給される電気エネルギーを制御する点灯回路と前記点灯回路の明るさを制御する調光回路と、前記調光回路に明るさの強・弱の信号を送る調光スイッチと前記点灯回路からの電気エネルギーによって発光する光源で構成され、前記電源スイッチを囲うように配置された壁により誤操作を防ぐとともに、前記電源スイッチよりも操作力を軽くした前記調光スイッチと前記電源スイッチとの配置の間隔を空けたことを特徴とするヘッドランプ。
【請求項２】
前記電源スイッチが、プッシュＯＮ、プッシュＯＦＦとなるプッシュスイッチまたはスライドスイッチまたはシーソースイッチまたは回転スイッチであり、前記調光スイッチがタクトスイッチである請求項１記載のヘッドランプ。
【請求項３】
前記電源スイッチと前記調光スイッチの操作する方向が異なるように構成されたことを特徴とする請求項１記載のヘッドランプ。
【請求項４】
前記電源スイッチと前記調光スイッチが２０ｍｍ以上の間隔を空けて構成されたことを特徴とする請求項１記載のヘッドランプ。
【請求項５】
電源にリチウム電池を使うことを特徴とする請求項１記載のヘッドランプ。
【請求項６】
前記点灯回路が電源からの電圧を昇圧する機能を兼ね備えたことを特徴とする請求項１記載のヘッドランプ。
【発明の詳細な説明】
【技術分野】
【０００１】
本発明は、電池使用の携帯電灯に関し、とくに調光機能を設けたスイッチ構造に関する。
【背景技術】
【０００２】
電池を電源とした携帯電灯は光源の明るさ設定により電池寿命が決まるために、使うシーンに合せて明るさを調整できるような調光機能が特許文献１によって提案されている。この提案は光源の明るさを調整する調光回路を備えたものであり、調光スイッチを押すことにより光源の明るさを調整することができるものである。
【０００３】
また明るさを調整する方式はその他に、ＩＣを使った電源スイッチと調光スイッチを兼ねるような方式が知られている。
【特許文献１】特開２００５−２１６６２１号公報
【発明の開示】
【発明が解決しようとする課題】
【０００４】
しかしながら、上記特許の構成では、使うシーンに合せて明るさの調整が可能であるが、携帯電灯に必要な容易なスイッチ操作性と携帯移動中に誤ってスイッチが入ってしまわない信頼性ある誤動作防止ができない。特に冬山等で使うヘッドランプは、夜間カバンから取り出し電源を入れたときに確実に点灯しなければ、生命にかかわる事故になる場合もあり、カバンの中で電源スイッチが誤って入ることや、ＩＣの待機電流及び電池の自己放電による電池容量の低下を防げなければ信頼性の高いヘッドランプを提供することができないという課題を有していた。
【課題を解決するための手段】
【０００５】
前記従来の課題を解決するために、電源から供給される電気エネルギーを開・閉する電源スイッチと前記電源スイッチの操作方向に対して前記電源スイッチを囲うように配置された壁と前記壁を覆うように構成されたスイッチ操作力が調整可能な電源スッチカバーと前記電源スイッチを介し電源から供給される電気エネルギーを制御する点灯回路と前記点灯回路の明るさを制御する調光回路と前記調光回路に明るさの強・弱の信号を送る調光スイッチと前記点灯回路からの電気エネルギーによって発光する光源とで構成され、前記電源スイッチを囲うように配置された壁により誤操作を防ぐとともに、前記電源スイッチよりも操作力を軽くした前記調光スイッチと前記電源スイッチとの配置の間隔を空けるように構成する。
【発明の効果】
【０００６】
本発明によると上記の構成により、電源スイッチが誤動作防止の壁とカバーで囲まれていることと、調光スイッチの操作力を軽くし、電源スイッチと調光スイッチの操作方向または配置の間隔を空けることで、携帯電灯をカバンなどに入れて持ち運ぶ際に、スイッチが誤動作することなく、かつ明るさの調整をする際の操作性がよい調光機能を実現することが可能となり、低温特性と保存特性のよいリチウム電池を電源に使用することで、冬山で使用できる安全性の高いヘッドランプを提供できる。
【発明を実施するための最良の形態】
【０００７】
以下本発明の一実施例を図１、図２、図３、図４、図５、図６、図７を用いて説明する。
【０００８】
図１は本発明の前方から見た外観図を示し、また図２は後方から見た外観図であり、図３は本発明のブロック図を示すものである。電源スイッチ１は電源から供給される電気エネルギーを開・閉し点灯回路２及び調光回路３に電気エネルギーを供給する。点灯回路２は光源５に対し点灯に必要な電圧と電流を供給する。調光回路３は調光スイッチ４の切り替えられた状態を検知し点灯回路２に対し、光の強・弱を調整する信号を送る。
【０００９】
図２は電源スイッチ１を１回押すとＯＮしもう一回押すとＯＦＦ（プッシュＯＮ、プッシュＯＦＦ）となるプッシュスイッチ、調光スイッチ４をタクトスイッチで構成した場合の２つのスイッチ操作方向を示した図である。電源スイッチ１の操作方向に対して垂直に交わる面を想定し、調光スイッチ４の操作方向をその想定した面に平行な方向にすることで、電源スイッチと調光スイッチの操作方向を変えることができ、スイッチの誤操作がしにくくなる。またスイッチの操作方向が同じ場合でも、２つのスイッチの間隔を２０ｍｍ以上空けることで、操作方向を変えた場合と同じ効果が得られる。
【００１０】
図４は電源スイッチ１を含むスイッチの構成をヘッドランプ正面から見た断面図で示したものであり、Ａ部の拡大図が図５である。電源スイッチ１はプッシュＯＮ、プッシュＯＦＦとなるプッシュスイッチで電源スイッチ１の操作方向に対して電源スイッチ１を囲うようにように配置された壁６と前記壁６を覆うように構成された電源スッチカバー７によって構成される。電源スイッチを囲う壁６の直径をφ１５〜φ２０ｍｍにすることで、指の腹でのスイッチ操作はできるが、φ２０ｍｍ以上のものがスイッチ部に当たっても誤動作が起こることはない。さらに電源スイッチカバー７をエラストマー、シリコン、ＮＢＲ、ＣＲＥＤＰＭ等の軟質素材で構成し、材料の硬度、厚みを変えることで、スイッチの操作力を調整することができる。前記電源スイッチの操作力を９００ｇｆ〜１３００ｇｆ程度に調整することで、φ２０ｍｍ未満のものに対してもスイッチの誤動作を防ぐことができる。図７は調光スイッチ４を含むスイッチ構成をヘッドランプの側面から見た断面図である。調光スイッチ４をカバーする調光スイッチカバー９をエラストマー、シリコン、ＮＢＲ、ＣＲＥＤＰＭ等の軟質素材で構成し、材料の硬度、厚みを変えることで、スイッチの操作力を調整することができる。電源スイッチ１と調光スイッチ４を分けることで、調光スイッチの携帯時の誤動作を考慮する必要がなく、調光スイッチの操作力を２００ｇｆ〜６００ｇｆ程度に軽くすることが可能となり、操作性をよくすることができる。
【００１１】
図６は本発明の回路図の一実施例であり、昇圧回路８を点灯回路２に付加した構成となっている。調光スイッチ４はタクトスイッチでスイッチを押すたびに、フリップ−フロップ回路に信号が伝達し、２つのトランジスターをＯＮ、ＯＦＦすることで、弱・中・強の明るさの制御を行なっている。  上記構成において、電源スイッチ１がスライドスイッチまたはシーソースイッチまたは回転スイッチである場合も同じ効果を得られる。
【００１２】
図７は調光スイッチ４を含むスイッチ構成をヘッドランプの側面から見た断面図である。調光スイッチ４及び点灯回路２を一つのプリント基板１０上で構成することで、製造上組立てが簡単になりコストダウンを図ることができる。
【００１３】
図８はプリント基板上の電源端子をヘッドランプ後面から見た断面図である。プリント基板１０に電源端子１１を取り付け、電源側の電源端子１２に接触するように構成することで、構成が簡素化し、製造上組立てが簡単にできる。
【００１４】
このように本発明の実施例のヘッドランプよれば、カバン等に入れて持ちまわる際の電源スイッチ１の誤動作を防ぐことができ、調光スイッチ４のスイッチ操作性を向上させることができる。
【産業上の利用可能性】
【００１５】
本発明は、電池使用の携帯電灯に関し、特に調光機能を設けたスイッチ構造に関する。本発明にかかわるヘッドランプは、カバン等に入れて移動する際に容易に電源が入らず、複数の明るさに調整する調光スイッチの操作性を向上させるのに有用である。
【図面の簡単な説明】
【００１６】
【図１】本発明の前方からの外観面
【図２】本発明の後方からの外観図
【図３】本発明のブロック図
【図４】正面から見たスイッチ部の断面図
【図５】図４Ａ部の拡大図
【図６】本発明の回路図
【図７】側面から見た調光スイッチの断面図
【図８】後方から見たプリント基板上の電源端子部の断面図
【符号の説明】
【００１７】
１    電源スイッチ
２    点灯回路
３    調光回路
４    調光スイッチ
５    光源
６    電源スイッチを囲う壁
７    電源スイッチカバー
８    昇圧回路
９    調光スイッチカバー
１０  プリント基板
１１  プリント基板上の電源端子
１２  電源側の電源端子
１３  スイッチング手段
【図１】
0004572798.tif 000002
【図２】
0004572798.tif 000003
【図３】
0004572798.tif 000004
【図４】
0004572798.tif 000005
【図５】
0004572798.tif 000006
【図６】
0004572798.tif 000007
【図７】
0004572798.tif 000008
【図８】
0004572798.tif 000009